(57)【要約】【課題】各装置による太陽電池パネルに関する計測結果を収集する構成において、通信用の設定作業の円滑化を実現することのできる監視システム、監視装置および収集装置を提供する。【解決手段】監視システムは、太陽電池パネルに関する計測を行う監視装置と、収集装置とを備え、前記収集装置は、前記監視装置の固有の識別情報である固有識別情報と、前記監視装置の通信用の識別情報である通信用識別情報との対応関係を示す対応情報を記憶し、前記監視装置は、自己の前記固有識別情報を前記収集装置へ送信し、前記収集装置は、前記対応情報を用いて、前記監視装置から受信した前記固有識別情報に対応する前記通信用識別情報を前記固有識別情報の送信元である前記監視装置へ送信し、前記監視装置は、前記計測の結果、および前記収集装置から受信した前記通信用識別情報を示す計測情報を前記収集装置へ送信する。【選択図】図４
2018113747.tif 000002
【特許請求の範囲】
【請求項１】
太陽電池パネルに関する計測を行う監視装置と、
収集装置とを備え、
前記収集装置は、前記監視装置の固有の識別情報である固有識別情報と、前記監視装置の通信用の識別情報である通信用識別情報との対応関係を示す対応情報を記憶し、
前記監視装置は、自己の前記固有識別情報を前記収集装置へ送信し、
前記収集装置は、前記対応情報を用いて、前記監視装置から受信した前記固有識別情報に対応する前記通信用識別情報を前記固有識別情報の送信元である前記監視装置へ送信し、
前記監視装置は、前記計測の結果、および前記収集装置から受信した前記通信用識別情報を示す計測情報を前記収集装置へ送信する、監視システム。
【請求項２】
前記固有識別情報と、前記通信用識別情報と、前記監視装置を収容する接続箱とが対応付け可能に構成されている、請求項１に記載の監視システム。
【請求項３】
前記収集装置は、前記固有識別情報の送信要求をブロードキャストし、
前記監視装置は、前記収集装置からブロードキャストされた前記送信要求を受信して、自己の前記固有識別情報を前記収集装置へ送信する、請求項１または請求項２に記載の監視システム。
【請求項４】
前記監視装置は、自己の前記固有識別情報に基づくタイミングで、自己の前記固有識別情報を前記収集装置へ送信する、請求項３に記載の監視システム。
【請求項５】
監視装置であって、
太陽電池パネルに関する計測を行う計測部と、
自己の前記監視装置の固有の識別情報である固有識別情報を送信する送信部と、
前記送信部により送信された前記固有識別情報に対応する、通信用の識別情報である通信用識別情報を受信する受信部とを備え、
前記送信部は、前記計測部による計測結果、および前記受信部により受信された前記通信用識別情報を示す計測情報を送信する、監視装置。
【請求項６】
太陽電池パネルに関する計測を行う監視装置の固有の識別情報である固有識別情報と、前記監視装置の通信用の識別情報である通信用識別情報との対応関係を示す対応情報を記憶する記憶部と、
前記監視装置から送信された前記固有識別情報を受信する受信部と、
前記記憶部に記憶されている前記対応情報を用いて、前記受信部により受信された前記固有識別情報に対応する前記通信用識別情報を、前記固有識別情報の送信元である前記監視装置へ送信する送信部とを備える、収集装置。
【発明の詳細な説明】
【技術分野】
【０００１】
本発明は、監視システム、監視装置および収集装置に関する。
【背景技術】
【０００２】
近年、太陽光発電システムの故障を検知するための技術が開発されている。たとえば、特開２０１２−２０５０７８号公報（特許文献１）には、以下のような太陽光発電用監視システムが開示されている。すなわち、太陽光発電用監視システムは、複数の太陽電池パネルからの出力を集約して電力変換装置に送り込む太陽光発電システムについて、前記太陽電池パネルの発電状況を監視する太陽光発電用監視システムであって、前記複数の太陽電池パネルからの出力電路が集約された場所に設けられ、各太陽電池パネルの発電量を計測する計測装置と、前記計測装置に接続され、前記計測装置による発電量の計測データを送信する機能を有する下位側通信装置と、前記下位側通信装置から送信される前記計測データを受信する機能を有する上位側通信装置と、前記上位側通信装置を介して前記太陽電池パネルごとの前記計測データを収集する機能を有する管理装置とを備える。
【先行技術文献】
【特許文献】
【０００３】
【特許文献１】特開２０１２−２０５０７８号公報
【発明の概要】
【発明が解決しようとする課題】
【０００４】
特許文献１に記載の太陽光発電用監視システムのように、収集した各計測装置による計測結果を管理装置において判別するためには、たとえば各計測装置に対して管理装置との通信用の識別情報を設定する。
【０００５】
このような太陽光発電用監視システムにおいて、通常、計測装置の通信先となる管理装置を計測装置の設置以前に把握することは困難であるため、計測装置の設置後に、管理者が計測装置に対して通信用の識別情報を直接入力する設定作業を行う。特に、大規模な発電所においては、多数の計測装置が設けられるため、設定作業に要する時間および手間を軽減することが望まれる。
【０００６】
この発明は、上述の課題を解決するためになされたもので、その目的は、各装置による太陽電池パネルに関する計測結果を収集する構成において、通信用の設定作業の円滑化を実現することのできる監視システム、監視装置および収集装置を提供することである。
【課題を解決するための手段】
【０００７】
（１）上記課題を解決するために、この発明のある局面に係わる監視システムは、太陽電池パネルに関する計測を行う監視装置と、収集装置とを備え、前記収集装置は、前記監視装置の固有の識別情報である固有識別情報と、前記監視装置の通信用の識別情報である通信用識別情報との対応関係を示す対応情報を記憶し、前記監視装置は、自己の前記固有識別情報を前記収集装置へ送信し、前記収集装置は、前記対応情報を用いて、前記監視装置から受信した前記固有識別情報に対応する前記通信用識別情報を前記固有識別情報の送信元である前記監視装置へ送信し、前記監視装置は、前記計測の結果、および前記収集装置から受信した前記通信用識別情報を示す計測情報を前記収集装置へ送信する。
【０００８】
（５）上記課題を解決するために、この発明のある局面に係わる監視装置は、太陽電池パネルに関する計測を行う計測部と、自己の前記監視装置の固有の識別情報である固有識別情報を送信する送信部と、前記送信部により送信された前記固有識別情報に対応する、通信用の識別情報である通信用識別情報を受信する受信部とを備え、前記送信部は、前記計測部による計測結果、および前記受信部により受信された前記通信用識別情報を示す計測情報を送信する。
【０００９】
（６）上記課題を解決するために、この発明のある局面に係わる収集装置は、太陽電池パネルに関する計測を行う監視装置の固有の識別情報である固有識別情報と、前記監視装置の通信用の識別情報である通信用識別情報との対応関係を示す対応情報を記憶する記憶部と、前記監視装置から送信された前記固有識別情報を受信する受信部と、前記記憶部に記憶されている前記対応情報を用いて、前記受信部により受信された前記固有識別情報に対応する前記通信用識別情報を、前記固有識別情報の送信元である前記監視装置へ送信する送信部とを備える。
【００１０】
本発明は、このような特徴的な処理部を備える監視システムとして実現することができるだけでなく、かかる特徴的な処理をステップとする監視方法として実現したり、かかるステップをコンピュータに実行させるためのプログラムとして実現したりすることができる。
【００１１】
また、本発明は、このような特徴的な処理部を備える監視装置として実現することができるだけでなく、かかる特徴的な処理をステップとする監視方法として実現したり、かかるステップをコンピュータに実行させるためのプログラムとして実現したりすることができる。また、監視装置の一部または全部を実現する半導体集積回路として実現することができる。
【００１２】
また、本発明は、このような特徴的な処理部を備える収集装置として実現することができるだけでなく、かかる特徴的な処理をステップとする監視方法として実現したり、かかるステップをコンピュータに実行させるためのプログラムとして実現したりすることができる。また、収集装置の一部または全部を実現する半導体集積回路として実現することができる。
【発明の効果】
【００１３】
本発明によれば、各装置による太陽電池パネルに関する計測結果を収集する構成において、通信用の設定作業の円滑化を実現することができる。
【図面の簡単な説明】
【００１４】
【図１】図１は、本発明の実施の形態に係る太陽光発電システムの構成を示す図である。
【図２】図２は、本発明の実施の形態に係る集電ユニットの構成を示す図である。
【図３】図３は、本発明の実施の形態に係る太陽電池ユニットの構成を示す図である。
【図４】図４は、本発明の実施の形態に係る監視システムの構成を示す図である。
【図５】図５は、本発明の実施の形態に係る監視装置の構成を示す図である。
【図６】図６は、本発明の実施の形態に係る監視装置の構成を詳細に示す図である。
【図７】図７は、本発明の実施の形態に係る監視システムにおける収集装置の構成を示す図である。
【図８】図８は、本発明の実施の形態に係る収集装置における記憶部に保存されている第１の対応情報の一例を示す図である。
【図９】図９は、本発明の実施の形態に係る監視システムにおける管理装置の構成を示す図である。
【図１０】図１０は、本発明の実施の形態に係る管理装置における記憶部に保存されている第２の対応情報の一例を示す図である。
【図１１】図１１は、本発明の実施の形態に係る監視システムによる通信用ＩＤの通知処理の動作手順を定めたシーケンスの一例を示す図である。
【図１２】図１２は、本発明の実施の形態に係る監視システムによる計測結果の表示処理の動作手順を定めたシーケンスの一例を示す図である。
【発明を実施するための形態】
【００１５】
最初に、本発明の実施形態の内容を列記して説明する。
【００１６】
（１）本発明の実施の形態に係る監視システムは、太陽電池パネルに関する計測を行う監視装置と、収集装置とを備え、前記収集装置は、前記監視装置の固有の識別情報である固有識別情報と、前記監視装置の通信用の識別情報である通信用識別情報との対応関係を示す対応情報を記憶し、前記監視装置は、自己の前記固有識別情報を前記収集装置へ送信し、前記収集装置は、前記対応情報を用いて、前記監視装置から受信した前記固有識別情報に対応する前記通信用識別情報を前記固有識別情報の送信元である前記監視装置へ送信し、前記監視装置は、前記計測の結果、および前記収集装置から受信した前記通信用識別情報を示す計測情報を前記収集装置へ送信する。
【００１７】
このような構成により、管理者が監視装置に対して通信用識別情報を直接入力するなどの作業を行うことなく、監視装置に対して通信用識別情報を設定することができる。したがって、各装置による太陽電池パネルに関する計測結果を収集する構成において、通信用の設定作業の円滑化を実現することができる。
【００１８】
（２）好ましくは、前記固有識別情報と、前記通信用識別情報と、前記監視装置を収容する接続箱とが対応付け可能に構成されている。
【００１９】
このように、監視システム全体として、固有識別情報と通信用識別情報と接続箱との対応関係が把握されている構成により、接続箱ごとに、太陽電池パネルに関する計測結果をモニタ等に表示することができる。
【００２０】
（３）好ましくは、前記収集装置は、前記固有識別情報の送信要求をブロードキャストし、前記監視装置は、前記収集装置からブロードキャストされた前記送信要求を受信して、自己の前記固有識別情報を前記収集装置へ送信する。
【００２１】
このような構成により、収集装置において、複数の監視装置の各々の固有識別情報を一度に収集することができるため、通信用識別情報の設定処理を効率的に行うことができる。
【００２２】
（４）より好ましくは、前記監視装置は、自己の前記固有識別情報に基づくタイミングで、自己の前記固有識別情報を前記収集装置へ送信する。
【００２３】
このような構成により、複数の監視装置の各々の固有識別情報の送信タイミングをずらすことができるため、同一の電力線を介して情報の送信を行う複数の監視装置からそれぞれ送信される信号同士の干渉を防ぐことができる。
【００２４】
（５）本発明の実施の形態に係る監視装置は、太陽電池パネルに関する計測を行う計測部と、自己の前記監視装置の識別情報である固有識別情報を送信する送信部と、前記送信部により送信された前記固有識別情報に対応する、通信用の識別情報である通信用識別情報を受信する受信部とを備え、前記送信部は、前記計測部による計測結果、および前記受信部により受信された前記通信用識別情報を示す計測情報を送信する。
【００２５】
このような構成により、管理者が監視装置に対して通信用識別情報を直接入力するなどの作業を行うことなく、監視装置に対して通信用識別情報を設定することができる。したがって、各装置による太陽電池パネルに関する計測結果を収集する構成において、通信用の設定作業の円滑化を実現することができる。
【００２６】
（６）本発明の実施の形態に係る収集装置は、太陽電池パネルに関する計測を行う監視装置の固有の識別情報である固有識別情報と、前記監視装置の通信用の識別情報である通信用識別情報との対応関係を示す対応情報を記憶する記憶部と、前記監視装置から送信された前記固有識別情報を受信する受信部と、前記記憶部に記憶されている前記対応情報を用いて、前記受信部により受信された前記固有識別情報に対応する前記通信用識別情報を、前記固有識別情報の送信元である前記監視装置へ送信する送信部とを備える。
【００２７】
このような構成により、管理者が監視装置に対して通信用識別情報を直接入力するなどの作業を行うことなく、監視装置に対して通信用識別情報を設定することができる。したがって、各装置による太陽電池パネルに関する計測結果を収集する構成において、通信用の設定作業の円滑化を実現することができる。
【００２８】
以下、本発明の実施の形態について図面を用いて説明する。なお、図中同一または相当部分には同一符号を付してその説明は繰り返さない。また、以下に記載する実施の形態の少なくとも一部を任意に組み合わせてもよい。
【００２９】
＜構成および基本動作＞
［太陽光発電システムの構成］
図１は、本発明の実施の形態に係る太陽光発電システムの構成を示す図である。
【００３０】
図１を参照して、太陽光発電システム４０１は、４つの集電ユニット６０と、ＰＣＳ８とを備える。ＰＣＳ８は、銅バー７と、電力変換部９とを含む。
【００３１】
図１では、４つの集電ユニット６０を代表的に示しているが、さらに多数または少数の集電ユニット６０が設けられてもよい。
【００３２】
図２は、本発明の実施の形態に係る集電ユニットの構成を示す図である。図２を参照して、集電ユニット６０は、４つの太陽電池ユニット７５と、銅バー７２とを含む。
【００３３】
図２では、４つの太陽電池ユニット７５を代表的に示しているが、さらに多数または少数の太陽電池ユニット７５が設けられてもよい。
【００３４】
図３は、本発明の実施の形態に係る太陽電池ユニットの構成を示す図である。
【００３５】
図３を参照して、太陽電池ユニット７５は、３つの太陽電池パネル７８と、銅バー７７とを含む。
【００３６】
図３では、３つの太陽電池パネル７８を代表的に示しているが、さらに多数または少数の太陽電池パネル７８が設けられてもよい。
【００３７】
太陽電池パネル７８は、たとえば複数の太陽電池パネルが直列接続されたストリングである。なお、太陽電池パネル７８は、複数の太陽電池パネルを含む構成に限らず、１つの太陽電池パネルを含む構成であってもよい。
【００３８】
太陽光発電システム４０１では、複数の太陽電池パネル７８からの出力ライン１，５，２すなわち電力線がそれぞれＰＣＳ８に電気的に接続される。
【００３９】
より詳細には、太陽電池パネル７８の出力ライン１は、太陽電池パネル７８に接続された第１端と、銅バー７７に接続された第２端とを有する。各出力ライン１は、銅バー７７を介して出力ライン５に集約される。銅バー７７は、たとえば筐体の一例である接続箱７６の内部に設けられている。
【００４０】
太陽電池パネル７８は、太陽光を受けると、受けた太陽光のエネルギーを直流電力に変換し、変換した直流電力を出力ライン１へ出力する。
【００４１】
図２および図３を参照して、出力ライン５は、対応の太陽電池ユニット７５における銅バー７７に接続された第１端と、銅バー７２に接続された第２端とを有する。各出力ライン５は、銅バー７２を介して出力ライン２に集約される。銅バー７２は、たとえば筐体の一例である集電箱７１の内部に設けられている。
【００４２】
再び図１を参照して、太陽光発電システム４０１では、上述のように複数の太陽電池パネル７８からの各出力ライン１が出力ライン５に集約され、各出力ライン５が出力ライン２に集約され、各出力ライン２が電力変換装置の一例であるＰＣＳ８に電気的に接続される。
【００４３】
より詳細には、各出力ライン２は、対応の集電ユニット６０における銅バー７２に接続された第１端と、銅バー７に接続された第２端とを有する。ＰＣＳ８において、内部ライン３は、銅バー７に接続された第１端と、電力変換部９に接続された第２端とを有する。
【００４４】
ＰＣＳ８は、たとえば、コンテナ６の内部に設けられている。ＰＣＳ８において、電力変換部９は、たとえば、各太陽電池パネル７８において発電された直流電力を出力ライン１、銅バー７７、出力ライン５、銅バー７２、出力ライン２、銅バー７および内部ライン３経由で受けると、受けた直流電力を交流電力に変換して系統へ出力する。
【００４５】
［監視システムの構成］
図４は、本発明の実施の形態に係る監視システムの構成を示す図である。
【００４６】
図４を参照して、監視システム３０１は、複数の監視装置１１１と、収集装置１０１と、管理装置１５１とを備える。
【００４７】
図４では、１つの集電ユニット６０に対応して設けられた４つの監視装置１１１を代表的に示しているが、さらに多数または少数の監視装置１１１が設けられてもよい。また、監視システム３０１は、１つの収集装置１０１を備えているが、複数の収集装置１０１を備えてもよい。
【００４８】
監視システム３０１は、太陽光発電システム４０１に用いられる。監視システム３０１では、子機である監視装置１１１におけるセンサの情報が、親機である収集装置１０１へ定期的または不定期に伝送される。
【００４９】
監視装置１１１は、たとえば集電ユニット６０に設けられている。より詳細には、監視装置１１１は、４つの太陽電池ユニット７５にそれぞれ対応して４つ設けられている。各監視装置１１１は、たとえば、対応の出力ライン５に電気的に接続されている。
【００５０】
監視装置１１１は、対応の太陽電池ユニット７５における各出力ライン１の電流をセンサにより計測する。また、監視装置１１１は、対応の太陽電池ユニット７５における出力ライン５の電圧をセンサにより計測する。
【００５１】
収集装置１０１は、たとえばＰＣＳ８の近傍に設けられている。より詳細には、収集装置１０１は、たとえば、コンテナ６の内部において、ＰＣＳ８に対応して設けられ、信号線４６を介して銅バー７に電気的に接続されている。なお、収集装置１０１は、コンテナ６の外部に設けられてもよい。
【００５２】
監視装置１１１および収集装置１０１は、出力ライン２，５を介して電力線通信（ＰＬＣ：Ｐｏｗｅｒ  Ｌｉｎｅ  Ｃｏｍｍｕｎｉｃａｔｉｏｎ）を行うことにより情報の送受信を行う。
【００５３】
より詳細には、各監視装置１１１は、対応の出力ラインの電流および電圧の計測結果、ならびに自己の通信用の識別情報である通信用識別情報（以下、「通信用ＩＤ（Ｉｄｅｎｔｉｆｉｃａｔｉｏｎ）」と称する。）を収集装置１０１に通知する。収集装置１０１は、たとえば、各監視装置１１１から通知された計測結果および通信用ＩＤの組を収集し、収集した計測結果および通信用ＩＤの複数の組を管理装置１５１に通知する。
【００５４】
ここで、各監視装置１１１の通信用ＩＤは、収集装置１０１から各監視装置１１１に対して事前に通知されることにより設定されたＩＤである。
【００５５】
より詳細には、収集装置１０１は、監視システム３０１に設けられている各監視装置１１１の固有の識別情報である固有識別情報（以下、「固有ＩＤ」と称する。）および通信用ＩＤの組を予め記憶している。固有ＩＤは、監視装置１１１の製造番号などである。また、監視装置１１１は、自己の固有ＩＤを予め記憶している。
【００５６】
たとえば、収集装置１０１は、固有ＩＤの送信要求をブロードキャストする。そして、各監視装置１１１は、収集装置１０１からブロードキャストされた送信要求を受信すると、自己の固有ＩＤを収集装置１０１に通知する。
【００５７】
収集装置１０１は、監視装置１１１から固有ＩＤの通知を受けると、予め記憶している固有ＩＤおよび通信用ＩＤの組の中から、通知された固有ＩＤに対応する通信用ＩＤを特定する。そして、収集装置１０１は、特定した通信用ＩＤを当該固有ＩＤの送信元である監視装置１１１に通知する。これにより、各監視装置１１１には、収集装置１０１との通信を行うための通信用ＩＤが設定される。
【００５８】
［監視装置］
（全体概要）
図５は、本発明の実施の形態に係る監視装置の構成を示す図である。図５では、出力ライン１、出力ライン５、銅バー７７および銅バー７２がより詳細に示されている。
【００５９】
図５を参照して、出力ライン１は、プラス側出力ライン１ｐと、マイナス側出力ライン１ｎとを含む。出力ライン５は、プラス側出力ライン５ｐと、マイナス側出力ライン５ｎとを含む。
【００６０】
銅バー７７は、プラス側銅バー７７ｐと、マイナス側銅バー７７ｎとを含む。銅バー７２は、プラス側出力ライン５ｐおよびマイナス側出力ライン５ｎにそれぞれ対応して、プラス側銅バー７２ｐおよびマイナス側銅バー７２ｎを含む。
【００６１】
プラス側出力ライン１ｐは、対応の太陽電池パネル７８に接続された第１端と、プラス側銅バー７７ｐに接続された第２端とを有する。マイナス側出力ライン１ｎは、対応の太陽電池パネル７８に接続された第１端と、マイナス側銅バー７７ｎに接続された第２端とを有する。
【００６２】
プラス側出力ライン５ｐは、プラス側銅バー７７ｐに接続された第１端と、集電箱７１におけるプラス側銅バー７２ｐに接続された第２端とを有する。マイナス側出力ライン５ｎは、マイナス側銅バー７７ｎに接続された第１端と、集電箱７１におけるマイナス側銅バー７２ｎに接続された第２端とを有する。
【００６３】
監視装置１１１は、検出部１１と、３つの電流センサ（計測部）１６と、電圧センサ（計測部）１７と、通信部（受信部および送信部）１４とを備える。なお、監視装置１１１は、出力ライン１の数に応じて、さらに多数または少数の電流センサ１６を備えてもよい。
【００６４】
監視装置１１１は、たとえば、太陽電池パネル７８の近傍に設けられている。具体的には、監視装置１１１は、たとえば、計測対象の出力ライン１が接続された銅バー７７が設けられた接続箱７６の内部に収容されている。なお、監視装置１１１は、接続箱７６の外部に設けられてもよい。
【００６５】
監視装置１１１は、たとえば、プラス側出力ライン５ｐおよびマイナス側出力ライン５ｎとそれぞれプラス側電源線２６ｐおよびマイナス側電源線２６ｎを介して電気的に接続されている。
【００６６】
（通信用ＩＤの通知）
図６は、本発明の実施の形態に係る監視装置の構成を詳細に示す図である。
【００６７】
図６を参照して、監視装置１１１は、検出部１１、３つの電流センサ１６、電圧センサ１７および通信部１４に加えて、さらに、処理部１２と、カウンタ１３と、記憶部１５と、ＤＣ／ＤＣコンバータ１９とを備える。
【００６８】
監視装置１１１における各回路は、出力ライン５から供給される太陽電池パネル７８の出力電圧を電源電圧として用いて動作する。
【００６９】
より詳細には、ＤＣ／ＤＣコンバータ１９は、マイナス側出力ライン５ｎおよびプラス側出力ライン５ｐからマイナス側電源線２６ｎおよびプラス側電源線２６ｐをそれぞれ介して受ける太陽電池パネル７８の直流電圧を昇圧または降圧し、直流電圧Ｖｃを生成する。そして、ＤＣ／ＤＣコンバータ１９は、生成した直流電圧Ｖｃを、監視装置１１１における各回路へ出力する。
【００７０】
カウンタ１３は、たとえば、水晶振動子を用いた発振回路等により生成されるクロックパルスをカウントし、カウントした値を保持する。このカウント値は、たとえば現在時刻を示す。
【００７１】
記憶部１５には、自己の監視装置１１１の固有ＩＤ、およびハッシュ関数が保存されている。ハッシュ関数は、固有ＩＤを示す固有ＩＤ情報の収集装置１０１への送信タイミングを算出するための関数である。
【００７２】
処理部１２は、収集装置１０１からブロードキャストされた固有ＩＤの送信要求を出力ライン２，５および通信部１４経由で受信すると、たとえば、記憶部１５に保存されている固有ＩＤおよびハッシュ関数を用いて、当該送信要求の受信タイミングから固有ＩＤ情報の送信タイミングまでの待機時間ｔを算出する。
【００７３】
そして、処理部１２は、カウンタ１３におけるカウント値を監視し、送信要求の受信タイミングから待機時間ｔが経過したタイミングにおいて、固有ＩＤ情報を収集装置１０１へ送信する。
【００７４】
待機時間ｔは、たとえば、ゼロ〜最大値Ｍに含まれる値である。各監視装置１１１の固有ＩＤは互いに異なるため、各監視装置１１１において算出される待機時間ｔは互いに異なる値となる。これにより、各監視装置１１１からの固有ＩＤ情報の送信タイミングがずれるため、同一の電力線を介して情報の送信を行う複数の監視装置１１１からそれぞれ送信される信号同士の干渉を防ぐことができる。
【００７５】
なお、処理部１２は、収集装置１０１からブロードキャストされた送信要求を受信した場合に限らず、たとえば、起動したタイミング、または定期的もしくは不定期に固有ＩＤ情報を収集装置１０１へ送信してもよい。
【００７６】
また、処理部１２は、収集装置１０１から送信された通信用ＩＤを示す通信用ＩＤ情報を出力ライン２，５および通信部１４経由で受信すると、当該通信用ＩＤ情報の示す通信用ＩＤを抽出する。そして、処理部１２は、抽出した通信用ＩＤを記憶部１５に保存する。
【００７７】
（計測結果の通知）
記憶部１５には、固有ＩＤ、ハッシュ関数、および通信用ＩＤに加えて、さらに、後述する計測情報パケットの宛先装置のＩＤ（以下、宛先ＩＤとも称する。）、および計測情報パケットの送信可能期間を算出するための期間情報が保存されている。この例では、宛先装置のＩＤは、収集装置１０１のＩＤである。また、送信可能期間は、たとえば、監視システム３０１における他の監視装置１１１の送信可能期間と重複しないように設けられる。
【００７８】
期間情報は、たとえば、基準時刻ｔｓ、送信可能期間の長さＬｐ、送信可能期間の到来する周期Ｔｐｄ、および送信可能期間の開始タイミングから計測情報の送信タイミングまでの時間Ｔａを含む。Ｔａは、たとえば、監視装置１１１ごとに異なる値が設定されている。送信可能期間の開始タイミングは、たとえば、ｔｓ＋Ｔｐｄ×Ｋｎを算出することにより求められる。ここで、Ｋｎはゼロ以上の整数である。また、計測情報の送信タイミングは、（ｔｓ＋Ｔｐｄ×Ｋｎ）＋Ｔａを算出することにより求められる。
【００７９】
処理部１２は、記憶部１５における期間情報に基づいて計測情報の送信タイミングを算出する。そして、処理部１２は、カウンタ１３におけるカウント値を監視し、算出した送信タイミングの所定時間前になると、計測命令を検出部１１へ出力する。
【００８０】
３つの電流センサ１６は、複数の太陽電池パネル７８のそれぞれに対応するマイナス側出力ライン１ｎの電流を計測し、計測結果を示す計測信号を検出部１１へ出力する。なお、電流センサ１６は、プラス側出力ライン１ｐを通して流れる電流を計測してもよい。
【００８１】
電圧センサ１７は、出力ライン５の電圧を計測し、計測結果を示す計測信号を検出部１１へ出力する。
【００８２】
検出部１１は、たとえば、処理部１２から計測命令を受けると、受けた計測命令に従って、各電流センサ１６および電圧センサ１７から受けた各計測信号に対して平均化およびフィルタリング等の信号処理を行った信号をデジタル信号に変換し、変換したデジタル信号を計測命令の応答として処理部１２へ出力する。
【００８３】
処理部１２は、対応の太陽電池パネル７８に関する計測結果を示す計測情報を作成する。より詳細には、処理部１２は、検出部１１から受けた各デジタル信号の示す計測結果と、対応の電流センサ１６のＩＤ、電圧センサ１７のＩＤ、および自己の監視装置１１１の通信用ＩＤとを含む計測情報を作成する。
【００８４】
処理部１２は、計測情報の送信タイミングが到来すると、記憶部１５から宛先ＩＤを取得し、送信先ＩＤが宛先ＩＤであり、データ部分が計測情報である計測情報パケットを作成する。そして、処理部１２は、作成した計測情報パケットを通信部１４へ出力する。
【００８５】
通信部１４は、出力ライン５，２を介した電力線通信により計測情報を送信する。より詳細には、処理部１２により作成された計測情報パケットは、周期Ｔｐｄの間隔で通信部１４から収集装置１０１へ送信される。
【００８６】
［収集装置］
（全体概要）
図７は、本発明の実施の形態に係る監視システムにおける収集装置の構成を示す図である。図７では、出力ライン２、内部ライン３および銅バー７がより詳細に示されている。
【００８７】
図７を参照して、出力ライン２は、プラス側出力ライン２ｐと、マイナス側出力ライン２ｎとを含む。内部ライン３は、プラス側内部ライン３ｐと、マイナス側内部ライン３ｎとを含む。銅バー７は、プラス側銅バー７ｐと、マイナス側銅バー７ｎとを含む。
【００８８】
プラス側出力ライン２ｐは、対応の集電ユニット６０の集電箱７１におけるプラス側銅バー７２ｐに接続された第１端と、プラス側銅バー７ｐに接続された第２端とを有する。マイナス側出力ライン２ｎは、対応の集電ユニット６０の集電箱７１におけるマイナス側銅バー７２ｎに接続された第１端と、マイナス側銅バー７ｎに接続された第２端とを有する。
【００８９】
プラス側内部ライン３ｐは、プラス側銅バー７ｐに接続された第１端と、ＰＣＳ８に接続された第２端とを有する。マイナス側内部ライン３ｎは、マイナス側銅バー７ｎに接続された第１端と、ＰＣＳ８に接続された第２端とを有する。
【００９０】
収集装置１０１は、ＰＬＣ通信部（受信部および送信部）４２を備える。ＰＬＣ通信部４２は、信号線４６および出力ライン２，５を介して監視装置１１１と電力線通信を行う。
【００９１】
より詳細には、ＰＬＣ通信部４２は、信号線４６であるプラス側信号線４６ｐおよびマイナス側信号線４６ｎを介してプラス側銅バー７ｐおよびマイナス側銅バー７ｎとそれぞれ電気的に接続されている。
【００９２】
たとえば、ＰＬＣ通信部４２は、出力ライン２，５、銅バー７，７２および信号線４６を介して各種パケットを複数の監視装置１１１との間で送受信する。
【００９３】
（通信用ＩＤの通知）
収集装置１０１は、ＰＬＣ通信部４２に加えて、さらに、処理部４３と、ＬＡＮ（Ｌｏｃａｌ  Ａｒｅａ  Ｎｅｔｗｏｒｋ）通信部４４と、記憶部４５とを備える。
【００９４】
処理部４３は、たとえば、管理者が自己の収集装置１０１に対して所定の操作を行った場合、または定期的もしくは不定期に、ＰＬＣ通信部４２および出力ライン２，５を介して、固有ＩＤの送信要求をブロードキャストする。
【００９５】
記憶部４５には、固有ＩＤと通信用ＩＤとの対応関係を示す第１の対応情報、および自己のネットワークＩＤが保存されている。
【００９６】
図８は、本発明の実施の形態に係る収集装置における記憶部に保存されている第１の対応情報の一例を示す図である。
【００９７】
図８を参照して、記憶部４５には、たとえば、対応テーブルＴ１が第１の対応情報として保存されている。対応テーブルＴ１は、固有ＩＤと通信用ＩＤとの組を複数含む。
【００９８】
たとえば、管理者が、固有ＩＤと通信用ＩＤとの組を収集装置１０１に対して入力すると、収集装置１０１における図示しない入力受付部が、管理者により入力された内容を示す情報を処理部４３へ出力する。そして、処理部４３は、たとえば、入力受付部から受けた情報に基づいて対応テーブルＴ１を作成し、作成した対応テーブルＴ１を記憶部４５に保存する。
【００９９】
通信用ＩＤは、たとえば、ネットワークＩＤおよびノードＩＤを含む。計測情報の送信先が同一の収集装置１０１である複数の監視装置１１１には、それぞれ、当該収集装置１０１と共通のネットワークＩＤが付され、かつ互いに異なるノードＩＤが付される。
【０１００】
具体的には、対応テーブルＴ１では、固有ＩＤ「１２３４」と、通信用ＩＤ「１０−１」とが対応づけられており、通信用ＩＤに含まれる「１０」がネットワークＩＤであり、通信用ＩＤに含まれる「１」がノードＩＤである。
【０１０１】
また、たとえば、対応テーブルＴ１では、固有ＩＤ「２３４５」と、通信用ＩＤ「１０−２」とが対応づけられており、通信用ＩＤに含まれる「１０」がネットワークＩＤであり、通信用ＩＤに含まれる「２」がノードＩＤである。
【０１０２】
再び図７を参照して、ＰＬＣ通信部４２は、複数の監視装置１１１からそれぞれ送信された固有ＩＤ情報を受信し、受信した固有ＩＤ情報を処理部４３へ出力する。
【０１０３】
処理部４３は、たとえば、固有ＩＤの送信要求をブロードキャストしたタイミングから所定時間経過するまでの間に固有ＩＤ情報を受けると、当該固有ＩＤ情報の示す固有ＩＤを抽出する。そして、処理部４３は、抽出した固有ＩＤに対応する通信用ＩＤを、記憶部４５に保存されている対応テーブルＴ１から読み出す。
【０１０４】
そして、処理部４３は、対応テーブルＴ１から読み出した通信用ＩＤを示す通信用ＩＤ情報を、固有ＩＤ情報の送信元である監視装置１１１へ、ＰＬＣ通信部４２を介してユニキャストで送信する。
【０１０５】
なお、収集装置１０１は、たとえば、通信用ＩＤ情報を送信した後も、管理者による所定の操作が行われた場合、もしくは定期的または不定期に固有ＩＤの送信要求をブロードキャストする。これにより、通信用ＩＤ情報の送信後に新たに監視装置１１１が設置された場合であっても、新たな監視装置１１１に通信用ＩＤを通知することができる。
【０１０６】
また、収集装置１０１は、固有ＩＤの送信要求をブロードキャストする代わりに、各監視装置１１１に対して固有ＩＤの送信要求をユニキャストで送信してもよい。
【０１０７】
また、たとえば、管理者が、交換等の保守のために、複数の監視装置１１１のうちの一部の監視装置１１１を、電源線２６との接続を切断するなどにより監視システム３０１から取り外した場合、収集装置１０１に対する操作を行うことにより、取り外した監視装置１１１の固有ＩＤおよび通信用ＩＤの組を対応テーブルＴ１の中から削除することができる。
【０１０８】
（計測結果の通知）
処理部４３は、複数の監視装置１１１からそれぞれ送信された計測情報をＰＬＣ通信部４２経由で受信し、受信した各計測情報に含まれる計測結果および通信用ＩＤの組を記憶部４５に保存する。
【０１０９】
より詳細には、上述のとおり、計測情報の送信先が同一の収集装置１０１である複数の監視装置１１１には、それぞれ、当該収集装置１０１と共通のネットワークＩＤが付されている。このため、処理部４３は、たとえば、受信した計測情報に含まれる通信用ＩＤのネットワークＩＤを確認することにより、受信した計測情報が自己の収集装置１０１を宛先とする計測情報であるか否かを確認し、当該計測情報に含まれる計測結果および通信用ＩＤの組を保存すべきか否かを判断することができる。
【０１１０】
すなわち、処理部４３は、受信した計測情報に含まれる通信用ＩＤのネットワークＩＤが自己のネットワークＩＤと同一である場合に、当該計測情報に含まれる計測結果および通信用ＩＤの組を記憶部４５に保存する。
【０１１１】
また、処理部４３は、たとえば、管理装置１５１から送信された収集情報要求をＬＡＮ通信部４４経由で受信すると、記憶部４５に保存されている各監視装置１１１の計測結果および通信用ＩＤを示す収集情報を、ＬＡＮ通信部４４経由で管理装置１５１へ送信する。
【０１１２】
［管理装置］
図９は、本発明の実施の形態に係る監視システムにおける管理装置の構成を示す図である。また、図１０は、本発明の実施の形態に係る管理装置における記憶部に保存されている第２の対応情報の一例を示す図である。
【０１１３】
図９および図１０を参照して、管理装置１５１は、入力受付部６１と、通信部６２と、処理部６３と、記憶部６４と、通知部６５とを備える。
【０１１４】
記憶部６４には、接続箱７６のＩＤである接続箱ＩＤと、当該接続箱７６に収容される監視装置１１１の通信用ＩＤとの対応関係を示す第２の対応情報が保存されている。接続箱ＩＤは、各接続箱７６に付された文字または数字などである。
【０１１５】
より詳細には、記憶部６４には、たとえば、図１０に示すような対応テーブルＴ２が第２の対応情報として保存されている。対応テーブルＴ２は、接続箱ＩＤと通信用ＩＤとの組を複数含む。
【０１１６】
たとえば、管理者が、接続箱ＩＤと通信用ＩＤとの組を管理装置１５１に対して入力すると、入力受付部６１が、管理者により入力された内容を示す情報を処理部６３へ出力する。そして、処理部６３は、入力受付部６１から受けた情報に基づいて対応テーブルＴ２を作成し、作成した対応テーブルＴ２を記憶部６４に保存する。
【０１１７】
具体的には、監視システム３０１において複数の収集装置１０１、たとえば収集装置１０１ａ，１０１ｂ，・・・が設けられているとする。また、接続箱ＩＤ「Ａ」，「Ｂ」，「Ｃ」および「Ｄ」にそれぞれ対応する接続箱７６には、監視装置１１１が１つずつ収納されており、これら４つの監視装置１１１は、いずれも、収集装置１０１ａと共通のネットワークＩＤとして「１０」が付されているとする。
【０１１８】
また、接続箱ＩＤ「Ｅ」，「Ｆ」，「Ｇ」および「Ｈ」にそれぞれ対応する接続箱７６には、監視装置１１１が１つずつ収納されており、これら４つの監視装置１１１は、いずれも、収集装置１０１ｂと共通のネットワークＩＤとして「２０」が付されているとする。
【０１１９】
この場合、対応テーブルＴ２には、たとえば、接続箱ＩＤ「Ａ」および通信用ＩＤ「１０−１」の組、接続箱ＩＤ「Ｂ」および通信用ＩＤ「１０−２」の組、接続箱ＩＤ「Ｃ」および通信用ＩＤ「１０−３」の組、ならびに接続箱ＩＤ「Ｄ」および通信用ＩＤ「１０−４」の組が含まれる。
【０１２０】
さらに、対応テーブルＴ２には、たとえば、接続箱ＩＤ「Ｅ」および通信用ＩＤ「２０−１」の組、接続箱ＩＤ「Ｆ」および通信用ＩＤ「２０−２」の組、接続箱ＩＤ「Ｇ」および通信用ＩＤ「２０−３」の組、ならびに接続箱ＩＤ「Ｈ」および通信用ＩＤ「２０−４」の組が含まれる。
【０１２１】
また、処理部６３は、たとえば定期的または不定期に、収集情報要求を通信部６２経由で収集装置１０１へ送信する。そして、処理部６３は、収集情報要求に対して収集装置１０１から送信された収集情報を通信部６２経由で受信し、当該収集情報に含まれる計測結果および通信用ＩＤの複数の組を抽出する。
【０１２２】
そして、処理部６３は、抽出した各通信用ＩＤに対応する接続箱ＩＤを、記憶部６４に保存されている対応テーブルＴ２から読み出す。そして、処理部６３は、読み出した接続箱ＩＤと、当該接続箱ＩＤに対応する通信ＩＤとともに収集情報から抽出した計測結果とを対応づけて、たとえば図示しない表示装置における液晶モニタなどに表示する。
【０１２３】
なお、管理装置１５１は、計測結果と、当該計測結果の送信元である監視装置１１１を特定可能な情報とを対応づけて表示する構成であれば、計測結果と接続箱ＩＤとを対応づけて表示する構成に限定されない。
【０１２４】
具体的には、管理装置１５１における記憶部６４には、対応テーブルＴ２の代わりに、一例として、監視装置１１１の設置位置を示す位置情報と、監視装置１１１の通信用ＩＤとの対応関係を示す対応テーブルＴ３が保存されてもよい。この場合、管理装置１５１における処理部６３は、受信した収集情報から抽出した各通信用ＩＤに対応する位置情報を、記憶部６４に保存されている対応テーブルＴ３から読み出す。そして、処理部６３は、読み出した位置情報と、当該位置情報に対応する通信ＩＤとともに収集情報から抽出した計測結果とを対応づけて、液晶モニタなどに表示することができる。
【０１２５】
＜動作の流れ＞
次に、本発明の実施の形態に係る監視システム３０１による動作の流れについて説明する。
【０１２６】
監視システム３０１における各装置は、コンピュータを備え、当該コンピュータにおけるＣＰＵ等の演算処理部は、以下のシーケンスまたはフローチャートの各ステップの一部または全部を含むプログラムを図示しないメモリから読み出して実行する。これら複数の装置のプログラムは、それぞれ、外部からインストールすることができる。これら複数の装置のプログラムは、それぞれ、記録媒体に格納された状態で流通する。
【０１２７】
ここでは、監視システム３０１に、３つの監視装置１１１として、監視装置１１１ａ、監視装置１１１ｂおよび監視装置１１１ｃが設けられているとする。
【０１２８】
［通信用ＩＤの通知処理］
図１１は、本発明の実施の形態に係る監視システムによる通信用ＩＤの通知処理の動作手順を定めたシーケンスの一例を示す図である。
【０１２９】
図１１を参照して、まず、たとえば管理者が収集装置１０１に対して所定の操作を行うと、収集装置１０１は、固有ＩＤの送信要求をブロードキャストする（ステップＳ１１）。
【０１３０】
次に、監視装置１１１ａ，１１１ｂ，１１１ｃは、収集装置１０１からの送信要求を受信すると、たとえば、自己の固有ＩＤおよびハッシュ関数を用いて、固有ＩＤ情報の送信タイミングまでの待機時間ｔを算出する（ステップＳ１２）。
【０１３１】
たとえば、監視装置１１１ａにより算出された待機時間ｔがｔａであり、監視装置１１１ｂにより算出された待機時間ｔがｔｂであり、監視装置１１１ｃにより算出された待機時間ｔがｔｃであるとする。ここで、ｔａ＜ｔｂ＜ｔｃであるとする。
【０１３２】
この場合、監視装置１１１ａは、たとえば、収集装置１０１からの送信要求の受信タイミングから待機時間ｔａが経過したタイミングにおいて、自己の固有ＩＤを示す固有ＩＤ情報を収集装置１０１へ送信する（ステップＳ１３）。
【０１３３】
次に、監視装置１１１ｂは、たとえば、収集装置１０１からの送信要求の受信タイミングから待機時間ｔｂが経過したタイミングにおいて、自己の固有ＩＤを示す固有ＩＤ情報を収集装置１０１へ送信する（ステップＳ１４）。
【０１３４】
次に、監視装置１１１ｃは、たとえば、収集装置１０１からの送信要求の受信タイミングから待機時間ｔｃが経過したタイミングにおいて、自己の固有ＩＤを示す固有ＩＤ情報を収集装置１０１へ送信する（ステップＳ１５）。
【０１３５】
次に、収集装置１０１は、監視装置１１１ａ、監視装置１１１ｂおよび監視装置１１１ｃからそれぞれ受信した固有ＩＤ情報の示す固有ＩＤの各々に対応する通信用ＩＤを、たとえば自己の保存する対応テーブルＴ１から読み出す（ステップＳ１６）。
【０１３６】
次に、収集装置１０１は、たとえば、対応テーブルＴ１から読み出した通信用ＩＤのうち、監視装置１１１ａの固有ＩＤに対応する通信用ＩＤを示す通信用ＩＤ情報を、監視装置１１１ａへ送信する（ステップＳ１７）。
【０１３７】
そして、監視装置１１１ａは、収集装置１０１から受信した通信用ＩＤ情報に含まれる通信用ＩＤを保存する（ステップＳ１８）。
【０１３８】
次に、収集装置１０１は、たとえば、対応テーブルＴ１から読み出した通信用ＩＤのうち、監視装置１１１ｂの固有ＩＤに対応する通信用ＩＤを示す通信用ＩＤ情報を、監視装置１１１ｂへ送信する（ステップＳ１９）。
【０１３９】
そして、監視装置１１１ｂは、収集装置１０１から受信した通信用ＩＤ情報に含まれる通信用ＩＤを保存する（ステップＳ２０）。
【０１４０】
次に、収集装置１０１は、たとえば、対応テーブルＴ１から読み出した通信用ＩＤのうち、監視装置１１１ｃの固有ＩＤに対応する通信用ＩＤを示す通信用ＩＤ情報を、監視装置１１１ｃへ送信する（ステップＳ２１）。
【０１４１】
そして、監視装置１１１ｃは、収集装置１０１から受信した通信用ＩＤ情報に含まれる通信用ＩＤを保存する（ステップＳ２２）。
【０１４２】
［計測結果の表示処理］
図１２は、本発明の実施の形態に係る監視システムによる計測結果の表示処理の動作手順を定めたシーケンスの一例を示す図である。
【０１４３】
図１２を参照して、まず、監視装置１１１ａ，１１１ｂ，１１１ｃは、太陽電池パネル７８に関する計測を行う（ステップＳ３１）。
【０１４４】
そして、監視装置１１１ａ，１１１ｂ，１１１ｃは、互いに異なるタイミングで、計測結果および自己の通信用ＩＤを含む計測情報を収集装置１０１へ送信する。たとえば、監視装置１１１ａが計測情報を収集装置１０１へ送信し（ステップＳ３２）、次に、監視装置１１１ｂが計測情報を収集装置１０１へ送信し（ステップＳ３３）、次に、監視装置１１１ｃが計測情報を収集装置１０１へ送信する（ステップＳ３４）。
【０１４５】
そして、収集装置１０１は、監視装置１１１ａ、監視装置１１１ｂおよび監視装置１１１ｃからそれぞれ受信した計測情報に含まれる計測結果および通信用ＩＤを抽出し、抽出した計測結果と通信用ＩＤとを対応づけて保存する（ステップＳ３５）。
【０１４６】
次に、管理装置１５１が収集情報要求を収集装置１０１へ送信すると（ステップＳ３６）、収集装置１０１は、たとえば、監視装置１１１ａ、監視装置１１１ｂおよび監視装置１１１ｃの各々の計測結果および通信用ＩＤを示す収集情報を管理装置１５１へ送信する（ステップＳ３７）。
【０１４７】
次に、管理装置１５１は、収集装置１０１から受信した収集情報に含まれる複数の通信用ＩＤおよび計測結果の組を抽出する。そして、管理装置１５１は、抽出した各通信用ＩＤに対応する接続箱ＩＤを、たとえば自己の保存する対応テーブルＴ２から読み出す（ステップＳ３８）。
【０１４８】
そして、管理装置１５１は、読み出した接続箱ＩＤと、当該接続箱ＩＤに対応する通信用ＩＤとともに収集情報から抽出した計測結果とを対応づけて、たとえば表示装置における液晶モニタに表示する。
【０１４９】
具体的には、管理装置１５１は、監視装置１１１ａを収容する接続箱７６の接続箱ＩＤと、監視装置１１１ａによる計測結果とを対応づけ、監視装置１１１ｂを収容する接続箱７６の接続箱ＩＤと、監視装置１１１ｂによる計測結果とを対応づけ、かつ監視装置１１１ｃを収容する接続箱７６の接続箱ＩＤと、監視装置１１１ｃによる計測結果とを対応づけて表示する（ステップＳ３９）。
【０１５０】
ところで、上述した特許文献１に記載の太陽光発電用監視システムのように、収集した各計測装置による計測結果を管理装置において判別するためには、たとえば各計測装置に対して管理装置との通信用の識別情報を設定する。
【０１５１】
このような太陽光発電用監視システムにおいて、通常、計測装置の通信先となる管理装置を計測装置の設置以前に把握することは困難であるため、計測装置の設置後に、管理者が計測装置に対して通信用の識別情報を直接入力する設定作業を行う。特に、大規模な発電所においては、多数の計測装置が設けられるため、管理者は、発電所内を巡回して１つ１つの計測装置に対して直接設定作業を行う必要があり、設定作業に要する時間および手間を軽減することが望まれる。
【０１５２】
これに対して、本発明の実施の形態に係る監視システム３０１では、監視装置１１１は、太陽電池パネル７８に関する計測を行う。また、収集装置１０１は、監視装置１１１の固有ＩＤと、監視装置１１１の通信用ＩＤとの対応関係を示す第１の対応情報として対応テーブルＴ１を記憶する。また、監視装置１１１は、自己の固有ＩＤを示す固有ＩＤ情報を収集装置１１１へ送信する。また、収集装置１０１は、対応テーブルＴ１を用いて、監視装置１１１から受信した固有ＩＤ情報の示す固有ＩＤに対応する通信用ＩＤを、固有ＩＤ情報の送信元である監視装置１１１へ送信する。また、監視装置１１１は、太陽電池パネル７８の計測の結果、および収集装置１０１から受信した通信用ＩＤ情報の示す通信用ＩＤ、を示す計測情報を収集装置１０１へ送信する。
【０１５３】
このような構成により、管理者が監視装置１１１に対して通信用ＩＤを直接入力するなどの作業を行うことなく、監視装置１１１に対して通信用ＩＤを設定することができる。
【０１５４】
したがって、本発明の実施の形態に係る監視システム３０１では、各監視装置１１１による太陽電池パネル７８に関する計測結果を収集する構成において、通信用の設定作業の円滑化を実現することができる。
【０１５５】
また、固有ＩＤと、通信用ＩＤと、監視装置１１１を収容する接続箱７６の接続箱ＩＤとが対応付け可能に構成されている。
【０１５６】
このように、監視システム３０１全体として、固有ＩＤと通信用ＩＤと接続箱ＩＤとの対応関係が把握されている構成により、接続箱７６ごとに、太陽電池パネル７８に関する計測結果をモニタ等に表示することができる。
【０１５７】
また、収集装置１０１は、固有ＩＤの送信要求をブロードキャストする。また、監視装置１１１は、収集装置１０１からブロードキャストされた送信要求を受信して、自己の固有ＩＤを示す固有ＩＤ情報を収集装置１０１へ送信する。
【０１５８】
このような構成により、収集装置１０１において、複数の監視装置１１１の各々の固有ＩＤを一度に収集することができるため、通信用ＩＤの設定処理を効率的に行うことができる。
【０１５９】
また、監視装置１１１は、自己の固有ＩＤに基づくタイミングで、固有ＩＤ情報を収集装置１０１へ送信する。
【０１６０】
このような構成により、複数の監視装置１１１の各々の固有ＩＤ情報の送信タイミングをずらすことができるため、同一の電力線を介して情報の送信を行う複数の監視装置１１１からそれぞれ送信される信号同士の干渉を防ぐことができる。
【０１６１】
また、本発明の実施の形態に係る監視装置１１１では、センサ１６は、太陽電池パネル７８に関する計測を行う。また、通信部１４は、自己の監視装置１１１の固有ＩＤを示す固有ＩＤ情報を送信する。また、通信部１４は、送信した固有ＩＤ情報に対応する、通信用ＩＤを示す通信用ＩＤ情報を受信する。さらに、通信部１４は、センサ１６による計測結果、および受信した通信用ＩＤ情報の示す通信用ＩＤ、を示す計測情報を送信する。
【０１６２】
このような構成により、管理者が監視装置１１１に対して通信用ＩＤを直接入力するなどの作業を行うことなく、監視装置１１１に対して通信用ＩＤを設定することができる。したがって、各監視装置１１１による太陽電池パネル７８に関する計測結果を収集する構成において、通信用の設定作業の円滑化を実現することができる。
【０１６３】
また、本発明の実施の形態に係る収集装置１０１では、記憶部４５は、太陽電池パネル７８に関する計測を行う監視装置１１１の固有ＩＤと、監視装置１１１の通信用ＩＤとの対応関係を示す第１の対応情報として対応テーブルＴ１を記憶する。また、ＰＬＣ通信部４２は、監視装置１１１から送信された固有ＩＤ情報を受信する。また、ＰＬＣ通信部４２は、記憶部４５に記憶されている対応テーブルＴ１を用いて、受信した固有ＩＤ情報の示す固有ＩＤに対応する通信用ＩＤを示す通信用ＩＤ情報を、固有ＩＤ情報の送信元である監視装置１１１へ送信する。
【０１６４】
このような構成により、管理者が監視装置１１１に対して通信用ＩＤを直接入力するなどの作業を行うことなく、監視装置１１１に対して通信用ＩＤを設定することができる。したがって、各監視装置１１１による太陽電池パネル７８に関する計測結果を収集する構成において、通信用の設定作業の円滑化を実現することができる。
【０１６５】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【０１６６】
以上の説明は、以下に付記する特徴を含む。
【０１６７】
［付記１］
太陽電池パネルに関する計測を行う複数の監視装置と、
収集装置とを備え、
前記収集装置は、前記監視装置の固有の識別情報である固有識別情報と、前記監視装置の通信用の識別情報である通信用識別情報との対応関係を示す第１の対応情報を記憶し、
前記監視装置は、自己の前記固有識別情報を前記収集装置へ送信し、
前記収集装置は、前記第１の対応情報を用いて、前記監視装置から受信した前記固有識別情報に対応する前記通信用識別情報を前記固有識別情報の送信元である前記監視装置へ送信し、
前記監視装置は、前記計測の結果、および前記収集装置から受信した前記通信用識別情報を示す計測情報を前記収集装置へ送信し、
さらに、管理装置を備え、
前記管理装置は、接続箱と、前記接続箱に収容される前記監視装置の前記通信用識別情報との対応関係を示す第２の対応情報を記憶し、
前記収集装置は、複数の前記監視装置からそれぞれ受信した前記計測情報に含まれる前記計測の結果および前記通信用識別情報を抽出し、抽出した前記監視装置ごとの前記計測の結果および前記通信用識別情報を示す収集情報を前記管理装置へ送信し、
前記管理装置は、前記第２の対応情報を用いて、前記収集装置から受信した前記収集情報の示す各前記計測の結果を前記接続箱ごとに表示する、監視システム。
【０１６８】
［付記２］
太陽電池パネルに関する計測を行う計測部と、
自己の固有の識別情報である固有識別情報を送信する送信部と、
前記送信部により送信された前記固有識別情報に対応する、通信用の識別情報である通信用識別情報を受信する受信部とを備え、
前記送信部は、前記計測部による計測結果、および前記受信部により受信された前記通信用識別情報を示す計測情報を送信し、
さらに、前記送信部による前記固有識別情報の送信タイミングを算出する処理部を備え、
前記処理部は、自己の前記固有識別情報およびハッシュ関数を用いて、前記送信タイミングを算出する、監視装置。
【０１６９】
［付記３］
太陽電池パネルに関する計測を行う監視装置の固有の識別情報である固有識別情報と、前記監視装置の通信用の識別情報である通信用識別情報との対応関係を示す対応情報を記憶する記憶部と、
前記監視装置から送信された前記固有識別情報を受信する受信部と、
前記記憶部に記憶されている前記対応情報を用いて、前記受信部により受信された前記固有識別情報に対応する前記通信用識別情報を、前記固有識別情報の送信元である前記監視装置へ送信する送信部とを備え、
前記受信部は、さらに、複数の前記監視装置から、前記計測の結果および前記通信用識別情報を示す計測情報をそれぞれ受信し、
さらに、前記受信部により受信された各前記計測情報から前記計測の結果および前記通信用識別情報を抽出して保存する処理部を備え、
前記送信部は、前記処理部により抽出された前記監視装置ごとの前記計測の結果および前記通信用識別情報を示す収集情報を送信する、収集装置。
【符号の説明】
【０１７０】
１，２，５  出力ライン
３  内部ライン
６  コンテナ
７  銅バー
８  ＰＣＳ
９  電力変換部
１１  検出部
１２  処理部
１３  カウンタ
１４  通信部（受信部および送信部）
１５  記憶部
１６  電流センサ（計測部）
１７  電圧センサ（計測部）
１９  ＤＣ／ＤＣコンバータ
２６  電源線
４２  ＰＬＣ通信部（受信部および送信部）
４３  処理部
４４  ＬＡＮ通信部
４５  記憶部
４６  信号線
６０  集電ユニット
６１  入力受付部
６２  通信部
６３  処理部
６４  記憶部
６５  通知部
７１  集電箱
７２  銅バー
７５  太陽電池ユニット
７６  接続箱
７７  銅バー
７８  太陽電池パネル
１０１  収集装置
１１１  監視装置
１５１  管理装置
３０１  監視システム
４０１  太陽光発電システム
【図１】
2018113747.tif 000003
【図２】
2018113747.tif 000004
【図３】
2018113747.tif 000005
【図４】
2018113747.tif 000006
【図５】
2018113747.tif 000007
【図６】
2018113747.tif 000008
【図７】
2018113747.tif 000009
【図８】
2018113747.tif 000010
【図９】
2018113747.tif 000011
【図１０】
2018113747.tif 000012
【図１１】
2018113747.tif 000013
【図１２】
2018113747.tif 000014